(57)【特許請求の範囲】
【請求項１】
主桁と、この主桁の上端部から橋軸直交方向に張り出す張出し床版と、橋軸方向に所定間隔をおいて複数箇所に配置され、上端部が上記張出し床版に連結されるとともに下端部が上記主桁に連結された複数のストラットと、を備えてなるコンクリート橋を、上記複数箇所のうち１箇所のストラットを含む所定長の施工ブロック毎に張出し施工することにより架設する橋梁架設方法において、
上記主桁における上記各ストラットとの連結部のコンクリート打設が上記張出し床版における該ストラットとの連結部のコンクリート打設よりも１施工ブロック分だけ先行して行われるように、上記各施工ブロック相互間の境界面の形状を所定の凹凸面形状に設定しておく、ことを特徴とする橋梁架設方法。
【請求項２】
上記各施工ブロック相互間の境界面の形状を、上記主桁を上記張出し床版に対して張出し架設方向前方側へ所定長変位させた凹凸面形状に設定しておく、ことを特徴とする請求項１記載の橋梁架設方法。
【請求項３】
上記各施工ブロック相互間の境界面の形状を、上記張出し床版における上記ストラットとの連結部を該施工ブロックにおける他の部分に対して張出し架設方向後方側へ所定長変位させた凹凸面形状に設定しておく、ことを特徴とする請求項１記載の橋梁架設方法。
【請求項４】
上記張出し床版における上記ストラットの中間部分の真上に位置する部分に、該ストラットの断面形状よりも大きい開口部を形成しておく、ことを特徴とする請求項３記載の橋梁架設方法。
【請求項５】
上記各施工ブロック相互間の境界面の形状を、上記張出し床版における上記ストラットとの連結部から上記主桁の近傍までの部分を該施工ブロックにおける他の部分に対して張出し架設方向後方側へ所定長変位させた凹凸面形状に設定しておく、ことを特徴とする請求項１記載の橋梁架設方法。
【発明の詳細な説明】
【技術分野】
【０００１】
本願発明は、複数のストラットを備えたコンクリート橋を張出し施工により架設する橋梁架設方法に関するものである。
【背景技術】
【０００２】
従来より、コンクリート橋の一形式として、複数のストラットが橋軸方向に所定間隔をおいて複数箇所に配置されたものが知られている。その際、このようなコンクリート橋における各ストラットは、その上端部において張出し床版に連結されるとともにその下端部において主桁に連結された構成となっている。
【０００３】
このようなコンクリート橋を張出し施工により架設する場合には、例えば「特許文献１」や「特許文献２」に記載されているように、張出し施工の際の施工ブロックを、上記複数箇所のうち１箇所のストラットが含まれるように設定し、これら各施工ブロック毎にコンクリート打設を行うのが一般的である。
【０００４】
そして、この張出し施工による架設方法では、各施工ブロックにおいて、主桁施工用の架台と共に移動作業車に吊り支持されたストラット施工用の専用架台を用いてストラットを仮保持した状態で、コンクリート打設を行うようになっている。
【０００５】
一方「特許文献３」には、複数の施工ブロックにわたって主桁を先行施工し、その後、張出し床版および複数のストラットの施工を行う架設方法が記載されている。
【０００６】
【特許文献１】特開２００４−１９０４５０号公報
【特許文献２】特開２００５−１８８２０３号公報
【特許文献３】特開２００１−１６４５１２号公報
【発明の開示】
【発明が解決しようとする課題】
【０００７】
上記従来の架設方法においては、次のような問題がある。
【０００８】
すなわち「特許文献１」や「特許文献２」に記載された架設方法では、ストラットを仮保持するための専用の設備が大掛かりなものとなり、かつ、ストラットを設置する際に高い設置精度を確保することが容易でないため、工期が長くかかってしまう、という問題がある。
【０００９】
一方「特許文献３」に記載された架設方法では、架設設備が二重に必要となるため、施工コストが高くなってしまう、という問題がある。
【００１０】
本願発明は、このような事情に鑑みてなされたものであって、複数のストラットを備えたコンクリート橋を張出し施工により架設する橋梁架設方法において、工期の短縮および施工コストの低減を図ることができる橋梁架設方法を提供することを目的とするものである。
【課題を解決するための手段】
【００１１】
本願発明は、張出し施工の際の各施工ブロック相互間の境界面の形状に工夫を施すことにより、上記目的達成を図るようにしたものである。
【００１２】
すなわち、本願発明に係る橋梁架設方法は、
主桁と、この主桁の上端部から橋軸直交方向に張り出す張出し床版と、橋軸方向に所定間隔をおいて複数箇所に配置され、上端部が上記張出し床版に連結されるとともに下端部が上記主桁に連結された複数のストラットと、を備えてなるコンクリート橋を、上記複数箇所のうち１箇所のストラットを含む所定長の施工ブロック毎に張出し施工することにより架設する橋梁架設方法において、
上記主桁における上記各ストラットとの連結部のコンクリート打設が上記張出し床版における該ストラットとの連結部のコンクリート打設よりも１施工ブロック分だけ先行して行われるように、上記各施工ブロック相互間の境界面の形状を所定の凹凸面形状に設定しておく、ことを特徴とするものである。
【００１３】
上記「主桁」の具体的構成は特に限定されるものではなく、例えば箱桁やＩ桁等が採用可能である。
【００１４】
上記「張出し床版」は、主桁に対して橋軸直交方向の片側にのみ配置された構成であってもよいし、主桁に対して橋軸直交方向の両側に配置された構成であってもよい。
【００１５】
上記各「ストラット」は、上端部が張出し床版に連結されるとともに下端部が主桁に連結されたものであれば、その材質や断面形状等の具体的構成は特に限定されるものではない。また、これら各「ストラット」の張出し床版および主桁への具体的な連結位置についても特に限定されるものではない。さらに、これら各「ストラット」は、上記「張出し床版」が主桁に対して橋軸直交方向の片側にのみ配置された構成となっている場合には、主桁に対して橋軸直交方向の片側にのみ配置された構成となるが、上記「張出し床版」が主桁に対して橋軸直交方向の両側に配置された構成となっている場合には、主桁に対して橋軸直交方向の片側にのみ配置された構成となっていてもよいし、その両側に配置された構成となっていてもよい。
【００１６】
上記「所定長の施工ブロック」は、各施工ブロック毎に「所定長」が同一の値に設定されていてもよいし異なる値に設定されていてもよい。
【００１７】
上記「各施工ブロック相互間の境界面の形状」は、所定の凹凸面形状に設定されているが、この「所定の凹凸面形状」は、主桁における各ストラットとの連結部のコンクリート打設が、張出し床版における該ストラットとの連結部のコンクリート打設よりも、１施工ブロック分だけ先行して行われるようにすることを実現可能な形状であれば、特定の凹凸面形状に限定されるものではない。また、この「各施工ブロック相互間の境界面の形状」は、各境界面毎に同一の形状に設定されていてもよいし異なる形状に設定されていてもよい。
【発明の効果】
【００１８】
上記構成に示すように、本願発明に係る橋梁架設方法においては、主桁と張出し床版と複数のストラットとを備えてなるコンクリート橋を、所定長の施工ブロック毎に張出し施工することにより架設するようになっているが、その際、主桁における各ストラットとの連結部のコンクリート打設が張出し床版における該ストラットとの連結部のコンクリート打設よりも１施工ブロック分だけ先行して行われるように、各施工ブロック相互間の境界面の形状を所定の凹凸面形状に設定しておくようになっているので、次のような作用効果を得ることができる。
【００１９】
すなわち、ストラットを設置する際、主桁におけるストラットとの連結部はすでに形成された状態にあるので、この連結部にストラットの下端部を連結することによりストラットを仮設置しておくことができる。このため、ストラットの仮保持を簡易な構成で行うことができ、これにより、従来ストラットの仮保持のために必要とされていたストラット施工用の専用架台等の大掛かりな設備を不要とすることができる。
【００２０】
しかも、このとき、張出し床版におけるストラットとの連結部のコンクリート打設はまだ行われていないので、その未施工部分の空間を利用して、張出し床版の上方からストラットを供給することができる。例えば、既設の施工ブロックにおける橋面上から直接ストラットを供給することができる。そしてこれにより施工の省力化を図ることができる。
【００２１】
この張出し床版におけるストラットとの連結部（あるいはストラットとの連結部を含む未施工の部分）のコンクリート打設は、次の施工ブロックの張出し施工の際に行われ、これによりストラットの設置が完了することとなる。
【００２２】
そして、このような本願発明の構成を採用することにより、上記他の従来例のように、複数の施工ブロックにわたって主桁を先行施工した後に張出し床版および複数のストラットの施工を行うために架設設備が二重に必要となってしまう、ということもなく、これにより施工コストを抑えることができる。
【００２３】
このように本願発明によれば、複数のストラットを備えたコンクリート橋を張出し施工により架設する橋梁架設方法において、工期の短縮および施工コストの低減を図ることができる。
【００２４】
上記構成において、各施工ブロック相互間の境界面の形状を、主桁を張出し床版に対して張出し架設方向前方側へ所定長変位させた凹凸面形状に設定しておくようにすれば、主桁におけるストラットとの連結部の上方に十分広い空間を確保することができる。したがって、ストラットの供給を極めて容易に行うことができ、これによりストラットの仮設置を容易に行うことができる。
【００２５】
あるいは、上記構成において、各施工ブロック相互間の境界面の形状を、張出し床版におけるストラットとの連結部を該施工ブロックにおける他の部分に対して張出し架設方向後方側へ所定長変位させた凹凸面形状に設定しておくようにすれば、張出し床版の一部のみを通常の張出し施工における各施工ブロック相互間の境界面の形状とは異なったものとするだけで足り、これにより主桁および張出し床版の張出し施工を容易に行うことができる。
【００２６】
この場合において、張出し床版におけるストラットの中間部分の真上に位置する部分に、該ストラットの断面形状よりも大きい開口部を形成しておくようにすれば、この開口部を介して、張出し床版の上方からストラットを供給することができ、これによりストラットの仮設置を容易に行うことができる。
【００２７】
さらに、上記構成において、各施工ブロック相互間の境界面の形状を、張出し床版におけるストラットとの連結部から主桁の近傍までの部分を該施工ブロックにおける他の部分に対して張出し架設方向後方側へ所定長変位させた凹凸面形状に設定しておくようにすれば、主桁および張出し床版の張出し施工とストラットの仮設置とを、共にある程度容易化することができる。特に、主桁が箱桁の場合には、箱桁部分を一挙に施工することができるので、その施工効率を高めることができる。
【発明を実施するための最良の形態】
【００２８】
以下、図面を用いて、本願発明の実施の形態について説明する。
【００２９】
図１は、本願発明の一実施形態に係る橋梁架設方法において架設対象となるコンクリート橋１０を架設途中の状態で示す斜視図であり、図２は、その部分断面側面図であり、図３は、その平面図および橋軸直交断面図である。
【００３０】
これらの図に示すように、このコンクリート橋１０は、プレストレストコンクリート製の単一箱桁橋であって、下床版１２Ａおよび１対のウェブ１２ＢからなるＵ字形の主桁１２と、この主桁１２の上端部に配置された上床版１４と、複数のストラット１６とからなっている。
【００３１】
その際、上床版１４は、Ｕ字形の主桁１２の上端部を塞いで該主桁１２とで箱桁構造を形成する箱桁形成部１４Ａと、主桁１２における１対のウェブ１２Ｂの各々の上端部から橋軸直交方向両側（左右両側）に張り出す１対の張出し床版１４Ｂとからなっている。
【００３２】
また、複数のストラット１６は、橋軸方向に所定間隔をおいて複数箇所に配置されている。その際、これら複数のストラット１６は、上記複数箇所の各々において、主桁１２の両側にそれぞれ配置されている。
【００３３】
これら各ストラット１６は、プレキャストコンクリート製ストラットであって、橋軸直交平面内において斜め上向きに延びるように配置されている。そして、これら各ストラット１６は、その上端部が上床版１４の張出し床版１４Ｂにおける橋軸直交方向端部に連結されるとともに、その下端部が主桁１２のウェブ１２Ｂにおける下端部に連結されている。
【００３４】
各張出し床版１４Ｂにおける橋軸直交方向端部の下面には、ストラット受け部１４ａが形成されており、また、各ウェブ１２Ｂにおける下端部の外面には、ストラット受け部１２ａが形成されている。その際、張出し床版１４Ｂのストラット受け部１４ａは、ストラット１６の上端部の小口と対向する対向面１４ａ１を有する構成となっているが、各ウェブ１２Ｂのストラット受け部１２ａは、ストラット１６の下端部が収容される凹部１２ａ１を有する構成となっている、
本実施形態においては、このコンクリート橋１０を、所定長の施工ブロックＢ毎に張出し施工することにより架設するようになっている。その際、これら各施工ブロックＢは、該施工ブロックＢに左右１対のストラット１６が含まれるようにその境界面Ｐの形状が設定されている。本実施形態においては、これら各施工ブロックＢ相互間の境界面Ｐの形状は、主桁１２を上床版１４に対して張出し架設方向前方側へ所定長変位させた凹凸面形状に設定されている。
【００３５】
なお、これら複数の施工ブロックＢのうち先頭に位置する施工ブロックＢを、図１および２においては２点鎖線で示しており、図３（ｂ）においては斜線領域で示している。
【００３６】
図３（ａ）は、先頭に位置する施工ブロックＢを施工する直前のコンクリート橋１０を示す平面図であり、同図（ｂ）は、先頭に位置する施工ブロックＢを施工した直後のコンクリート橋１０を示す平面図であり、同図（ｃ）は、同図（ａ）のｃ−ｃ線断面図であり、同図（ｄ）、（ｅ）および（ｆ）は、同図（ｂ）のｄ−ｄ線、ｅ−ｅ線およびｆ−ｆ線断面図である。
【００３７】
このコンクリート橋１０を架設する際、先頭に位置する施工ブロックＢの張出し施工を行うのに先立って、その直前に張出し施工が行われた施工ブロックＢにおいて、左右１対のストラット１６の仮設置を行う。この仮設置は、既設の施工ブロックＢにおいて、張出し架設方向前方側へ突出している主桁１２におけるウェブ１２Ｂの下端部のストラット受け部１２ａに、ストラット１６の下端部を連結することにより行う。この連結は、ストラット１６を、上床版１４の上方から、図示しないクレーン等により吊り下ろして、該ストラット１６を所定角度傾斜させた状態で、その下端部を、ストラット受け部１２ａの凹部１２ａ１に挿入することにより行う。そして、このようにして仮設置されたストラット１６を簡易な架台（図示せず）を用いて仮保持する。
【００３８】
その後、先頭に位置する施工ブロックＢの部分に、型枠（図示せず）を設置して所定の配筋を行った後、コンクリート打設を行う。その際、ストラット１６の上端部の小口を、張出し床版１４Ｂにおけるストラット受け部１４ａの対向面１４ａ１に位置させた状態で、その上端部を張出し床版１４Ｂと連結させ、これによりストラット１６の設置を完了させる。
【００３９】
そして、このコンクリート打設により形成された施工ブロックＢに橋軸方向のプレストレスを導入して、その張出し施工を完了させる。
【００４０】
その後、次の施工ブロックＢに対して同様の張出し施工を繰り返すことにより、張出し架設を続行する。
【００４１】
以上詳述したように、本実施形態に係る橋梁架設方法においては、複数のストラット１６を備えた単一箱桁橋として構成されたコンクリート橋１０を、所定長の施工ブロックＢ毎に張出し施工することにより架設するようになっているが、その際、主桁１２のウェブ１２Ｂにおける各ストラット１６との連結部のコンクリート打設が上床版１４の張出し床版１４Ｂにおける該ストラット１６との連結部のコンクリート打設よりも１施工ブロック分だけ先行して行われるように、各施工ブロックＢ相互間の境界面Ｐの形状を、主桁１２を張出し床版１４Ｂに対して張出し架設方向前方側へ所定長変位させた凹凸面形状に設定しておくようになっているので、次のような作用効果を得ることができる。
【００４２】
すなわち、ストラット１６を設置する際、主桁１２のウェブ１２Ｂにおけるストラット１６との連結部はストラット受け部１２ａとしてすでに形成された状態にあるので、このストラット受け部１２ａにストラット１６の下端部を連結することによりストラット１６を仮設置しておくことができる。このため、ストラット１６の仮保持を簡易な構成で行うことができ、これにより従来のようなストラット施工用の大掛かりな専用設備を不要とすることができる。
【００４３】
しかも、このとき、張出し床版１４Ｂにおけるストラット１６との連結部であるストラット受け部１４ａのコンクリート打設はまだ行われていないので、その未施工部分の空間を利用して、張出し床版１４Ｂの上方からストラット１６を供給することができる。具体的には、既設の施工ブロックＢにおける橋面上から直接ストラット１６を供給することができる。そしてこれにより施工の省力化を図ることができる。
【００４４】
この張出し床版１４Ｂにおけるストラット受け部１４ａを含む未施工の部分のコンクリート打設は、次の施工ブロックＢの張出し施工の際に行われ、これによりストラットの設置が完了することとなる。
【００４５】
そして、このような本実施形態の構成を採用することにより、架設設備を二重に必要とすることなく張出し施工を行うことができ、これにより施工コストを抑えることができる。
【００４６】
このように本実施形態によれば、複数のストラット１６を備えたコンクリート橋１０を張出し施工により架設する橋梁架設方法において、工期の短縮および施工コストの低減を図ることができる。
【００４７】
特に本実施形態においては、各施工ブロックＢ相互間の境界面Ｐの形状を、主桁１２を張出し床版１４Ｂに対して張出し架設方向前方側へ所定長変位させた凹凸面形状に設定しておくようになっているので、主桁１２のウェブ１２Ｂにおけるストラット受け部１２ａの上方に十分広い空間を確保することができる。したがって、ストラット１６の供給を極めて容易に行うことができ、これによりストラット１６の仮設置を容易に行うことができる。
【００４８】
なお、上記実施形態においては、各ストラット１６がプレキャストコンクリート製ストラットで構成されている場合について説明したが、鋼製ストラット等で構成されている場合においても、上記実施形態と同様にして張出し施工を行うことにより、上記実施形態と同様の作用効果を得ることができる。
【００４９】
また、上記実施形態においては、各施工ブロックＢ相互間の境界面Ｐの形状を、いずれの境界面Ｐにおいても同一形状に設定しているが、必要に応じて適宜異なる形状に設定することも可能である。
【００５０】
次に、上記実施形態の変形例について説明する。
【００５１】
図４は、上記実施形態の第１変形例に係る橋梁架設方法において架設対象となるコンクリート橋１１０を示す斜視図である。
【００５２】
同図に示すように、このコンクリート橋１１０の構成自体は、上記実施形態のコンクリート橋１０と同様であるが、その張出し施工時における各施工ブロックＢ相互間の境界面Ｐの形状が上記実施形態の場合と異なっている。
【００５３】
すなわち、本変形例においては、各施工ブロックＢ相互間の境界面Ｐの形状を、張出し床版１４Ｂにおけるストラット１６との連結部であるストラット受け部１４ａを、該施工ブロックＢにおける他の部分に対して張出し架設方向後方側へ所定長変位させた凹凸面形状に設定しておくようになっている。
【００５４】
本変形例においては、主桁１２のウェブ１２Ｂにおけるストラット受け部１２ａの上方に十分広い空間を確保することはできないが、張出し床版１４Ｂの一部のみを通常の張出し施工における施工ブロックＢ相互間の境界面Ｐの形状とは異なったものとするだけで足り、これにより主桁１２および張出し床版１４Ｂの張出し施工を容易に行うことができる。
【００５５】
図５は、上記実施形態の第２変形例に係る橋梁架設方法において架設対象となるコンクリート橋２１０を示す斜視図である。
【００５６】
同図に示すように、このコンクリート橋２１０の構成、および、その張出し施工時における各施工ブロックＢ相互間の境界面Ｐの形状は、上記第１変形例のコンクリート橋１１０と同様であるが、本変形例においては、張出し床版１４Ｂにおけるストラット１６の中間部分の真上に位置する部分に、該ストラット１６の断面形状よりも大きい開口部１４ｂを形成しておくようになっている。
【００５７】
本変形例のように、張出し床版１４Ｂに開口部１４ｂを形成しておくことにより、この開口部１４ｂを介して、張出し床版１４Ｂの上方からストラット１６を供給することができ、これによりストラット１６の仮設置を容易に行うことができる。
【００５８】
なお、この開口部１４ｂは、張出し床版１４Ｂにおけるストラット受け部１４ａのコンクリート打設を行う際、あるいは別の時点でコンクリート打設を行うことにより閉塞するようにすればよい。
【００５９】
図６は、上記実施形態の第３変形例に係る橋梁架設方法において架設対象となるコンクリート橋３１０を示す斜視図である。
【００６０】
同図に示すように、このコンクリート橋３１０の構成自体は、上記実施形態のコンクリート橋１０と同様であるが、その張出し施工時における各施工ブロックＢ相互間の境界面Ｐの形状が上記実施形態の場合と異なっている。
【００６１】
すなわち、本変形例においては、各施工ブロックＢ相互間の境界面Ｐの形状を、張出し床版１４Ｂにおけるストラット受け部１４ａから主桁１２の近傍までの部分を、該施工ブロックＢにおける他の部分に対して張出し架設方向後方側へ所定長変位させた凹凸面形状に設定しておくようになっている。
【００６２】
本変形例においては、主桁１２のウェブ１２Ｂにおけるストラット受け部１２ａの上方にある程度広い空間を確保することができ、これにより張出し床版１４Ｂの上方からストラット１６を供給して、その仮設置を比較的容易に行うことができる。また、本変形例においては、主桁１２と上床版１４の箱桁形成部１４Ａとを一挙に施工することができ、これにより主桁１２および張出し床版１４Ｂの張出し施工を比較的容易に行うことができる。
【図面の簡単な説明】
【００６３】
【図１】本願発明の一実施形態に係る橋梁架設方法において架設対象となるコンクリート橋を架設途中の状態で示す斜視図
【図２】上記コンクリート橋を架設途中の状態で示す部分断面側面図
【図３】上記コンクリート橋を架設途中の状態で示す平面図および橋軸直交断面図
【図４】上記実施形態の第１変形例を示す、図１と同様の図
【図５】上記実施形態の第２変形例を示す、図１と同様の図
【図６】上記実施形態の第３変形例を示す、図１と同様の図
【符号の説明】
【００６４】
１０、１１０、２１０、３１０  コンクリート橋
１２  主桁
１２Ａ  下床版
１２Ｂ  ウェブ
１２ａ、１４ａ  ストラット受け部
１２ａ１  凹部
１４  上床版
１４Ａ  箱桁形成部
１４Ｂ  張出し床版
１４ａ１  対向面
１４ｂ  開口部
１６  ストラット
Ｂ  施工ブロック
Ｐ  境界面
【図１】
0005074260.tif 000002
【図２】
0005074260.tif 000003
【図３】
0005074260.tif 000004
【図４】
0005074260.tif 000005
【図５】
0005074260.tif 000006
【図６】
0005074260.tif 000007